(57)【要約】【課題】  写真付き切手シート等のシートをシート収納ホルダのシート収納部に収納し、保存及び／又は展示することにより、収納したシートに傷がついてしまったり、シートが折れ曲がってしまったり等の危険を回避することを可能としたシート収納ホルダ及びその製造方法を提供する。【解決手段】  厚紙、プラスチックシート、アクリル板、金属薄板等の素材を用いて、縦１９０〜２５０ｍｍ、横４４０〜５５０ｍｍ、厚さ１〜５ｍｍ程度に形成され、中央部で二つ折り可能な薄板体である本体と、該本体に接着された、縦１８９〜２４９ｍｍ、横２１７〜２７０ｍｍ程度に形成された１枚または複数枚の合成樹脂製の透明な袋状のシート収納部と、を備え、前記シート収納部には、貼り付き防止加工、変色防止加工、ずれ防止加工のうち、少なくともいずれか１つが施される。【選択図】  図７
2005225085.tif 000002
【特許請求の範囲】
【請求項１】
写真付き切手シート等のシートをシート収納部に収納し、保存及び／又は展示する際に用いるシート収納ホルダであって、
厚紙、プラスチックシート、アクリル板、金属薄板のうち、いずれかの素材を用いて、縦１９０〜２５０ｍｍ、横４４０〜５５０ｍｍ、厚さ１〜５ｍｍ程度の大きさに形成され、略中央部で二つ折り可能な横長長方形の薄板体である本体と、
該本体の所定の位置に接着剤により接着された、縦１８９〜２４９ｍｍ、横２１７〜２７０ｍｍ程度の大きさに形成された１枚または複数枚のビニール等の合成樹脂製の透明な袋状のシート収納部と、を備え、
前記シート収納部には、シートの貼り付き防止加工、シートの変色防止加工、シートのずれ防止加工のうち、少なくともいずれか１つ、または、これら任意の組み合わせが施されたことを特徴とするシート収納ホルダ。
【請求項２】
写真付き切手シート等のシートをシート収納部に収納し、保存及び／又は展示する際に用いるシート収納ホルダの製造方法であって、
厚紙、プラスチックシート、アクリル板、金属薄板のうち、いずれかの素材を用いて、縦１９０〜２５０ｍｍ、横４４０〜５５０ｍｍ、厚さ１〜５ｍｍ程度の大きさに形成され、略中央部で二つ折り可能な横長長方形の薄板体である本体に、利用者の所望する画像を印刷する手順と、
前記利用者の所望する画像を印刷する手順により利用者の所望する画像が印刷された本体の所定の位置に、縦１８９〜２４９ｍｍ、横２１７〜２７０ｍｍ程度の大きさに形成された１枚または複数枚のビニール等の合成樹脂製の透明な袋状のシート収納部を接着剤により接着する手順と、を備え、
更に、前記シート収納部には、シートの貼り付きを防止する貼り付き防止加工手順、シートの変色を防止する変色防止加工手順、シートのずれを防止するずれ防止加工手順のうち、少なくともいずれか１つ、または、これら任意の組み合わせがなされることを特徴とするシート収納ホルダの製造方法。
【発明の詳細な説明】
【技術分野】
【０００１】
本発明は、シート収納ホルダ及びシート収納ホルダの製造方法に関し、特に、写真付き切手シート（シールシート）等のシートをシート収納部に収納し、保存及び／又は展示する際に適したシート収納ホルダ及びその製造方法に関する。
【背景技術】
【０００２】
従来、切手シート中の切手部分に利用者の所望するオリジナル画像を合成し、そのオリジナル画像を切手の額面（金額表示）と共に印刷し、出力することを可能とした切手シートの製造方法に関する発明が存在している（特開平１０−３２２５４４「切手シートの製造方法」）。
【特許文献１】特開平１０−３２２５４４
【０００３】
この切手シートの製造方法では、切手シート中の切手部分に切手の額面と利用者の所望するオリジナル画像とが印刷された切手シートの製造のみが行なわれていた。
【０００４】
また、上述の従来技術とは別に、国立印刷局が製造し、日本郵政公社が販売を行なう写真付き切手が存在している。
【０００５】
ここでいう「写真付き切手」とは、切手シートの切手部分以外のスペース（例えば、切手の下部スペースや、バックシート等）に、利用者の所望する画像が印刷された切手を指す。また、ここでいう「バックシート」とは、切手シートの表面の切手部分以外の余白スペースを指す。
【発明の開示】
【発明が解決しようとする課題】
【０００６】
しかし、これらの従来技術において、利用者に提供されるオリジナル画像入りの切手シートは、当該シートが剥き出しの状態であるため、直ぐにその切手を使用する場合には適しているが、オリジナル画像が印刷された切手シートを保存（コレクション）、展示等することを望む利用者にとっては、折角の大事なシートに傷がついてしまったり、シートが折れ曲がってしまったり等の危険があった。
【０００７】
本発明は、上述のような実情に鑑みてなされたものであり、写真付き切手シート（シールシート）等のシートをシート収納ホルダのシート収納部に収納し、保存及び／又は展示することにより、収納したシートに傷がついてしまったり、シートが折れ曲がってしまったり等の危険を回避することを可能としたシート収納ホルダ及びその製造方法の提供を目的とする。
【課題を解決するための手段】
【０００８】
本発明は上記目的を達成するため、請求項１に記載の発明は、写真付き切手シート等のシートをシート収納部に収納し、保存及び／又は展示する際に用いるシート収納ホルダであって、厚紙、プラスチックシート、アクリル板、金属薄板のうち、いずれかの素材を用いて、縦１９０〜２５０ｍｍ、横４４０〜５５０ｍｍ、厚さ１〜５ｍｍ程度の大きさに形成され、略中央部で二つ折り可能な横長長方形の薄板体である本体と、該本体の所定の位置に接着剤により接着された、縦１８９〜２４９ｍｍ、横２１７〜２７０ｍｍ程度の大きさに形成された１枚または複数枚のビニール等の合成樹脂製の透明な袋状のシート収納部と、を備え、前記シート収納部には、シートの貼り付き防止加工、シートの変色防止加工、シートのずれ防止加工のうち、少なくともいずれか１つ、または、これら任意の組み合わせが施されたことを特徴とするシート収納ホルダを提供する。
【０００９】
請求項２に記載の発明は、写真付き切手シート等のシートをシート収納部に収納し、保存及び／又は展示する際に用いるシート収納ホルダの製造方法であって、厚紙、プラスチックシート、アクリル板、金属薄板のうち、いずれかの素材を用いて、縦１９０〜２５０ｍｍ、横４４０〜５５０ｍｍ、厚さ１〜５ｍｍ程度の大きさに形成され、略中央部で二つ折り可能な横長長方形の薄板体である本体に、利用者の所望する画像を印刷する手順と、前記利用者の所望する画像を印刷する手順により利用者の所望する画像が印刷された本体の所定の位置に、縦１８９〜２４９ｍｍ、横２１７〜２７０ｍｍ程度の大きさに形成された１枚または複数枚のビニール等の合成樹脂製の透明な袋状のシート収納部を接着剤により接着する手順と、を備え、更に、前記シート収納部には、シートの貼り付きを防止する貼り付き防止加工手順、シートの変色を防止する変色防止加工手順、シートのずれを防止するずれ防止加工手順のうち、少なくともいずれか１つ、または、これら任意の組み合わせがなされることを特徴とする。
【発明の効果】
【００１０】
以上説明したように本発明によれば、写真付き切手シート（シールシート）等のシートをシート収納ホルダのシート収納部に収納し、保存及び／又は展示することにより、収納したシートに傷がついてしまったり、シートが折れ曲がってしまったり等の危険を回避することが可能となるため、利用者にとっては、剥き出しの状態のシートと違って、シートを安心して保存及び／又は展示することができるようになる。
【発明を実施するための最良の形態】
【００１１】
本発明を実施するための最良の形態を以下に説明する。
【実施例】
【００１２】
図１は、本実施の形態のシート収納ホルダの全体を示す正面図である。図２は、本実施の形態のシート収納ホルダの全体を示す左側面図である。図３は、本実施の形態のシート収納ホルダの全体を示す平面図である。図４は、本実施の形態のシート収納ホルダの全体を示す底面図である。図５は、本実施の形態のシート収納ホルダの全体を示す斜視図である。図６は、本実施の形態のシート収納ホルダの各部の名称を示す参考図である。図７は、本実施の形態のシート収納ホルダの使用状態の一例を示したイメージ図である。図８は、本実施の形態のシート収納ホルダを二つ折りにした状態のイメージ図である。図９は、本実施の形態のシート収納ホルダを略９０度折り曲げた状態のイメージ図である。図１０は、本実施の形態のシート収納ホルダの本体とシート収納部との接着面を示す参考平面図である。図１１は、本実施の形態のシート収納ホルダの図１におけるＡ−Ａ’、Ｂ−Ｂ’に囲まれた部分の部分拡大図である。
【００１３】
本実施の形態のシート収納ホルダの背面図は正面図と同一にあらわれる（図示せず。）。また、本実施の形態のシート収納ホルダの右側面図は左側面図と対象にあらわれる（図示せず。）。
【００１４】
図１及び図２に示されるように、シート収納ホルダの本体及びシート収納部は、非常に薄く形成されており、その本体部分の厚さは、略１〜５ｍｍ（好ましくは、略２ｍｍ）である。そして、本体は、厚紙、プラスチックシート、アクリル板、金属薄板のうち、いずれかの素材を用いて形成されており、略中央部分が、二つ折りし易くさせる目的で、幅５〜１０ｍｍ程度にわたって折り曲げ可能な形状となっている。また、シート収納部は、ビニール等の合成樹脂製の透明な袋状のものであり、本体の所定の位置に接着剤によって１枚または複数枚のシート収納部が接着されている。図１では、本体の上部に２枚のシート収納部が接着されている。
【００１５】
図３〜図６（特に、図６）に示されるように、シート収納ホルダの本体の大きさは、縦１９０〜２５０ｍｍ程度、横４４０〜５５０ｍｍ程度、厚さ１〜５ｍｍ程度（好ましくは、縦２１０ｍｍ程度、横４８０ｍｍ程度、厚さ２ｍｍ程度）である。シート収納ホルダの本体の形状は、略中央部に二つ折りのための折り曲げ部を有する横長長方形の薄板体である。
【００１６】
また、図３、図５、図６（特に、図６）に示されるように、シート収納ホルダのシート収納部の大きさは、縦１８９〜２４９ｍｍ程度、横２１７〜２７０ｍｍ程度（好ましくは、縦１９３ｍｍ程度、横２２３ｍｍ程度）である。そして、そのシート収納部の中央部側には、シート差し込み部（開口部）と、当該シート差し込み部（開口部）の下から５０ｍｍ程度のところに、半径５ｍｍ程度の収納したシートを引き出すための半円形の切りかけ部とが形成されている。
【００１７】
更に、このシート収納部には、シートの貼り付き防止加工、シートの変色防止加工、シートのずれ防止加工のうち、少なくともいずれか１つ、または、これら任意の組み合わせが施されている。
【００１８】
このシート収納ホルダでは、図７に示されるように、左右２つのシート収納部に、オリジナル画像入り写真付き切手シート（図７は、某企業の本社ビル竣工を記念したオリジナル画像入り写真付き切手シートのイメージ図であって、左側のシートが５０円の額面の切手シートで、右側のシートが８０円の額面の切手シートである。）をシート差し込み部（開口部）より差し込み、収納することが可能であって、図８のように、二つ折りにして持ち歩いたり、保存した際に、シートが落ちない構造になっている。
【００１９】
また、図９のように、シート収納ホルダを中央部から縦に略９０度折り曲げて、机の上や棚等に立てて展示することも可能である。
【００２０】
シート収納ホルダの本体と、シート収納部とは、図１０に示した斜線部を接着剤等を用いて接着するのが望ましい。
【００２１】
また、シート収納ホルダの本体の両面には、利用者の所望する模様や文字や写真等の画像を印刷するのが望ましい。
【００２２】
次に、本実施の形態のシート収納ホルダの製造方法における主な処理の流れを図１２に基づいて説明する。
【００２３】
先ず、シート収納ホルダの本体に、利用者の所望する模様や文字や写真等の画像を印刷する印刷処理が行なわれる（Ｓ１０）。
【００２４】
この印刷処理（Ｓ１０）において、印刷対象となるシート収納ホルダの本体の素材（材質）が、厚紙である場合には、立体加工（整形処理）される前の平らな状態の時に、この印刷処理（Ｓ１０）を施し、印刷処理終了後に、立体加工（整形処理）を施すのが望ましい。
【００２５】
ここでいう「立体加工（整形処理）」とは、１枚の厚紙を重ね合わせたり、立体的に組み立てる等して、シート収納ホルダの本体の形状に形成することを指す。
【００２６】
従って、本体を形成する素材（材質）の厚さは、シート収納ホルダの本体の厚さと同一でなくても良い。
【００２７】
また、この印刷処理（Ｓ１０）の代わりに、印刷対象であるシート収納ホルダの本体（厚紙、プラスチックシート、アクリル板、金属薄板製）に、利用者の所望する模様や文字や写真等の画像が予め印刷されたシールシートを貼り付けるシールシート貼り付け処理を行なっても良い。
【００２８】
また、この印刷処理において印刷される画像は、収納する写真付き切手シート等のシートに印刷された画像に因んだ画像が印刷されるのが望ましい。
【００２９】
この印刷処理において、利用者によって印刷画像なしが選択された場合には、シート収納ホルダの本体には、画像が印刷されない。
【００３０】
次に、シート収納ホルダのシート収納部に様々な特殊加工を施す処理（Ｓ１１）が行なわれる。
【００３１】
このシート収納部に様々な特殊加工を施す処理（Ｓ１１）には、１．シートの貼り付きを防止する貼り付き防止加工を施す処理や、２．シートの変色を防止する変色防止加工を施す処理や、３．シートのずれを防止するずれ防止加工を施す処理等があり、このうち、少なくともいずれか１つ、または、これら任意の組み合わせが任意の順番で行なわれる。
【００３２】
シートの貼り付きを防止する貼り付き防止加工とは、シート収納部の内側の収納したシートと接触する面に、先端の尖っていない無数の細かな凸凹を形成する加工のことで、この加工により、シートとシート収納部の内側の面が密着し、貼り付くことで発生する事故（例えば、写真付きシートの画像がシート収納部に写ってしまう事故や、貼り付いたシートを剥がす際に誤ってシート表面に傷を付けてしまう事故等）を未然に防止することが可能となる。
【００３３】
このシート収納部の内側の収納したシートと接触する面に、先端の尖っていない無数の細かな凸凹を形成する加工は、表面に先端の尖っていない無数の細かな凹凸を形成させるための凹凸部を有する金属製等の薄板体を、その凹凸部をシート収納部のシートと接触する面に向けて挿入し、外側から当該シート収納部を挟んで押圧する等の方法により行なって良い。
【００３４】
シートの変色を防止する変色防止加工とは、シート収納部の内側の収納したシートと接触する面に、シートの変色防止に効果のある液体状の薬剤（例えば、酸化防止剤等）を塗る加工のことで、この加工により、収納したシートに印刷された画像の変色を防止（抑制）することが可能となる。
【００３５】
このシート収納部の内側の収納したシートと接触する面に、シートの変色防止に効果のある液体状の薬剤（例えば、酸化防止剤等）を塗る加工は、適当な量の当該薬剤が塗られた布等を金属製等の薄板体に巻き付けてシート収納部へ挿入する方法や、シート収納部の内側の収納したシートと接触する面に予め当該薬剤が塗られた透明なフィルム状のシートを貼り付ける方法等により行なって良い。
【００３６】
シートのずれを防止するずれ防止加工とは、シート収納部に収納したシートのずれを防止するために行なう加工（例えば、シート収納部の四隅にシートの四隅を差し込むための孔（差し込み口）を設けたり、シート収納部のシート差し込み部（開口部）側の上下数ヶ所にマジックテープ等の一時的な固定を可能とする手段（ストッパー）を設ける等）のことで、この加工により、シート収納部内でのシートのずれを最小限に抑制（防止）することが可能となる。
【００３７】
シート収納部の四隅にシートの四隅を差し込むための孔（差し込み口）を設ける場合には、当該シート収納部の四隅の差し込むシートの四隅が差し込める位置をカッター等によりカットする方法で行なうのが望ましい。
【００３８】
また、シート収納部に様々な特殊加工を施す処理（Ｓ１１）では、上述の、１．シートの貼り付きを防止する貼り付き防止加工を施す処理や、２．シートの変色を防止する変色防止加工を施す処理や、３．シートのずれを防止するずれ防止加工を施す処理の他に、４．シートの画像を拡大する画像拡大加工を施す処理や、５．シート収納部の内側を複数に仕切る仕切り加工を施す処理や、６．シート収納部に蓋片（折り返し部）を取り付ける蓋片取り付け加工を施す処理等があり、これらを適宜追加的に行なう構成としても良い。
【００３９】
シートの画像を拡大する画像拡大加工とは、シート収納部に収納したシートに印刷された模様や文字や写真等の画像を拡大させるために行なう加工のことで、例えば、シート収納部の表面に拡大レンズシートを取り付ける等の手段により実現され、この加工により、シート収納部に収納したシートに印刷された模様や文字や写真等の画像を拡大表示することが可能となる。
【００４０】
シート収納部の内側を複数に仕切る仕切り加工とは、１つのシート収納部に複数枚のシートを別々に分けて収納させるために行なう加工のことで、シート収納部の内側に仕切り用のシートを取り付ける等の手段により実現され、この加工により、１つのシート収納部に複数枚のシートを別々に分けて収納することが可能となる。
【００４１】
シート収納部に蓋片（折り返し部）を取り付ける蓋片取り付け加工とは、シート収納部のシート差し込み部（開口部）側に、幅５〜２０ｍｍ程度の蓋片（折り返し部）を取り付ける加工のことで、この加工により、収納したシートがシート収納部から抜け落ちる等の事故を未然に防止することが可能となる。
【００４２】
続いて、シート収納ホルダの本体にシート収納部を接着する接着処理（Ｓ１２）が行なわれる。
【００４３】
この接着処理では、シート収納ホルダの本体の所定の位置に、任意の枚数（１枚〜２枚以上）のシート収納部が接着剤によって接着される。その接着面（接着部分）は、図１０の斜線部分のようにするのが望ましいが、適宜変更しても良い。
【００４４】
この接着処理に用いられる接着剤は、シート収納ホルダの本体とシート収納部とを接着可能なものであれば良く、シート収納ホルダの本体を形成する素材（材質）により適宜変更して良い。
【００４５】
また、シート収納ホルダの内部に、センサや、電子オルゴール等を取り付けて、２つ折り状態のシート収納ホルダが開かれた度に、曲や音声メッセージ等が流れる構成にしても良い。
【００４６】
なお、シート収納ホルダのシート収納部は、図１３の斜視図のように片側だけに取り付けられても良いことは勿論である。
【００４７】
以上説明した、本実施例に係るシート収納ホルダ及びシート収納ホルダの製造方法によれば、写真付き切手シート（シールシート）等のシートをシート収納ホルダのシート収納部に収納し、保存及び／又は展示することにより、収納したシートに傷がついてしまったり、シートが折れ曲がってしまったり等の危険を回避することが可能となるため、利用者にとっては、剥き出しの状態のシートと違って、シートを安心して保存及び／又は展示することができるようになると共に、例えば、シートに印刷された画像とシート収納ホルダに印刷する画像に共通性をもたせる等により、豪華さや、楽しさが増したり、写真付き切手シートの商品価値が向上したりという二次的な効果をも期待できる。
【図面の簡単な説明】
【００４８】
【図１】シート収納ホルダの正面図である。
【図２】シート収納ホルダの左側面図である。
【図３】シート収納ホルダの平面図である。
【図４】シート収納ホルダの底面図である。
【図５】シート収納ホルダの斜視図である。
【図６】シート収納ホルダの各部の名称を示す参考図である。
【図７】シート収納ホルダの使用状態の一例を示したイメージ図である。
【図８】シート収納ホルダを二つ折りにした状態のイメージ図である。
【図９】シート収納ホルダを略９０度折り曲げた状態のイメージ図である。
【図１０】シート収納ホルダの本体とシート収納部との接着面を示す参考平面図である。
【図１１】シート収納ホルダのＡ−Ａ’、Ｂ−Ｂ’に囲まれた部分の部分拡大図である。
【図１２】主な処理の流れを示す図である。
【図１３】シート収納ホルダの斜視図である。
【図１】
2005225085.tif 000003
【図２】
2005225085.tif 000004
【図３】
2005225085.tif 000005
【図４】
2005225085.tif 000006
【図５】
2005225085.tif 000007
【図６】
2005225085.tif 000008
【図７】
2005225085.tif 000009
【図８】
2005225085.tif 000010
【図９】
2005225085.tif 000011
【図１０】
2005225085.tif 000012
【図１１】
2005225085.tif 000013
【図１２】
2005225085.tif 000014
【図１３】
2005225085.tif 000015